(57)【特許請求の範囲】
【請求項１】
複数の蓄電池からなる蓄電池群及び商用電源に接続され、負荷設備に電力を供給する無停電電源装置と、
前記蓄電池群の状態を監視する蓄電池監視装置とを備え、
前記無停電電源装置が、前記蓄電池監視装置と情報通信を可能にする第１通信部と、第１通信部で情報を送受信する制御及び前記蓄電池群から前記無停電電源装置内に電流を流す制御を行う第１制御部とを有し、
前記蓄電池監視装置が、各蓄電池の電圧を測定する電圧測定器及び前記蓄電池に流れる電流を測定する電流測定器の少なくとも一方と、前記無停電電源装置と情報通信を可能にする第２通信部と、前記電圧測定器及び前記電流測定器の少なくとも一方で前記蓄電池の状態を測定する制御並びに第２通信部で情報を送受信する制御を行う第２制御部とを有し、
第１及び第２制御部の一方が、該一方の制御部の通信部から他方の制御部の通信部に前記蓄電池の状態測定の開始情報を送信する制御を行い、第１制御部が、前記開始情報に基づいて前記蓄電池群から前記無停電電源装置に評価用電流を流す制御を行い、前記評価用電流が前記無停電電源装置内に流れている間に、第２制御部が、前記蓄電池監視装置で前記蓄電池の電圧及び電流の少なくとも一方を測定する制御を行うことを特徴とする蓄電池監視システム。
【請求項２】
さらに、コンピュータ装置を備え、
前記コンピュータ装置が、前記無停電電源装置及び前記蓄電池監視装置と情報通信を可能にする第３通信部と、第３通信部で情報を送受信する制御を行う第３制御部とを有することを特徴とする請求項１に記載の蓄電池監視システム。
【請求項３】
さらに、前記無停電電源装置、前記蓄電池監視装置及び前記コンピュータ装置を接続する通信ケーブルを備える請求項２に記載の蓄電池監視システム。
【請求項４】
前記蓄電池群が、直列接続された複数の蓄電池からなる直列蓄電池群を複数有し、該複数の直列蓄電池群が並列接続されている場合、前記蓄電池監視装置の前記電流測定器で各直列蓄電池群に流れる電流の大きさを測定し、その測定結果に基づいて前記蓄電池群の状態を判定することを特徴とする請求項１〜３のいずれか一項に記載の蓄電池監視システム。
【請求項５】
前記蓄電池が、電解コンデンサ、又は、電気二重層コンデンサであることを特徴とする請求項１〜４のいずれか一項に記載の蓄電池監視システム。
【発明の詳細な説明】
【技術分野】
【０００１】
本発明は、蓄電池監視システムに関し、より詳細には、無停電電源装置に接続された蓄電池の劣化を監視する蓄電池監視システムに関する。
【背景技術】
【０００２】
一般に、負荷設備に電力供給を行う無停電電源システムにおいて停電等が発生した場合、無停電電源システムは商用電源をバックアップ用電源に切換えて、負荷設備に電力を供給する。このようなバックアップ用電源としては、蓄電池が使用される。
【０００３】
蓄電池には寿命があり、さらに故障率が高い部品であるので、停電等が発生した場合にも負荷設備に安定に電力を供給するために、蓄電池の劣化状態を適宜監視することが求められている。このような要望に応え、従来、蓄電池の劣化状態を監視するための蓄電池監視システムが提案されている（例えば、特許文献１参照）。
【０００４】
特許文献１で提案されている蓄電池監視システムでは、主に、蓄電池の内部抵抗を測定するとともに、蓄電池の温度を検出して蓄電池の劣化状況を監視している。また、特許文献１で提案されている蓄電池監視システムでは、各蓄電池の電圧も検出している。これらの評価パラメータ（蓄電池の内部抵抗、蓄電池の電圧）は、蓄電池から蓄電池監視装置内に放電電流を短時間流して測定される。
【０００５】
【特許文献１】特開２００６−８００３２号公報
【発明の開示】
【発明が解決しようとする課題】
【０００６】
上記特許文献１に記載されているように、評価パラメータを測定する際に蓄電池から蓄電池監視装置内に放電電流を流す蓄電池監視システムでは、通常、蓄電池監視装置は十分大きな放電電流の通流に耐え得る性能（容量）を有していない。それゆえ、上記特許文献１に記載されているような蓄電池監視システムでは、蓄電池の評価時に十分大きな放電電流を蓄電池監視装置に流すことができない。そのため、蓄電池の劣化を正確に判断することが難しい。
【０００７】
上記問題を解決するために、十分大きな放電電流に耐え得る性能（容量）を有する蓄電池監視装置を作製すると、装置が高価になったり、装置の寸法が大きくなるといった問題が生じる。蓄電池群が大型になるとともに、劣化判定のために流す放電電流も大きくなるので、上述のような電池監視装置の価格や寸法の問題は、蓄電池群の大型化に伴いより顕著になる。
【０００８】
本発明は上記問題を解決するためになされたものであり、本発明の目的は、蓄電池の劣化を正確に判定できる小型で安価な蓄電池監視システムを提供することである。
【課題を解決するための手段】
【０００９】
上記課題を解決するために、本発明の蓄電池監視システムでは、複数の蓄電池からなる蓄電池群及び商用電源に接続され負荷設備に電力を供給する無停電電源装置と、蓄電池群の状態を監視する蓄電池監視装置とを備える構成とした。また、本発明では、無停電電源装置が、蓄電池監視装置と情報通信を可能にする第１通信部と、第１通信部で情報を送受信する制御及び蓄電池群から無停電電源装置内に電流を流す制御を行う第１制御部とを有する構成とした。さらに、本発明では、蓄電池監視装置が、各蓄電池の電圧を測定する電圧測定器及び蓄電池に流れる電流を測定する電流測定器の少なくとも一方と、無停電電源装置と情報通信を可能にする第２通信部と、電圧測定器及び電流測定器の少なくとも一方で蓄電池の状態を測定する制御並びに第２通信部で情報を送受信する制御を行う第２制御部とを有する構成とした。そして、本発明では、第１及び第２制御部が、次のような制御を行うようにした。第１及び第２制御部の一方が、該一方の制御部の通信部から他方の制御部の通信部に蓄電池の状態測定の開始情報を送信する制御を行う。また、第１制御部が、蓄電池の状態測定の開始情報に基づいて蓄電池群から無停電電源装置に評価用電流を流す制御を行う。また、評価用電流が無停電電源装置内に流れている間に、第２制御部が、蓄電池監視装置で蓄電池の電圧及び電流の少なくとも一方を測定する制御を行う。
【発明の効果】
【００１０】
本発明の蓄電池監視システムでは、まず、無停電電源装置の第１制御部及び蓄電池監視装置の第２通信部の一方が他方に蓄電池の状態測定の開始情報を送信し、その開始情報に基づいて無停電電源装置に放電電流を流す。そして、蓄電池の劣化状況を測定する。
【００１１】
蓄電池の評価測定時に放電電流を流す無停電電源装置は、十分大きな放電電流に耐えうる性能（容量）を有するので、無停電電源装置は大型な装置にならず、蓄電池の劣化を正確に判断することができる。また、本発明では、蓄電池の評価測定時に、放電電流を蓄電池監視装置に流さないので、蓄電池監視装置が十分大きな放電電流に耐えうる性能（容量）をもつ必要がなくなる。それゆえ、安価で小型の蓄電池監視装置を用いることができる。
【００１２】
上述のように、本発明によれば、正確に蓄電池の状態を評価することができるとともに、小型で安価な蓄電池監視システムを提供することができる。
【発明を実施するための最良の形態】
【００１３】
本発明の蓄電池監視システムの実施形態の例を、図面を参照しながら以下に説明する。しかしながら、本発明は以下の実施形態に限定されるものではない。
【００１４】
[第１の実施形態]
本発明の蓄電池監視システムの第１の実施形態の例を、図１及び２を用いて説明する。図１は、第１の実施形態の蓄電池監視システムの概略構成図である。
【００１５】
蓄電池監視システム１０は、図１に示すように、無停電電源装置１と、複数の蓄電池監視装置２と、コンピュータ装置３とを備える。そして、これらの装置は、通信ケーブル４（有線ＬＡＮ（Local Area Network）ケーブル）により接続されており、互いに情報を送受信することが可能な構成になっている。
【００１６】
無停電電源装置１は、図１に示すように、電力変換器１３と、電力変換器１３に接続された制御部１１（以下では、第１制御部１１ともいう）とを備える。
【００１７】
第１制御部１１は、電力変換器１３に電流を流す制御を行い、停電時の電力供給源の切換制御を行う。また、第１制御部１１内には、蓄電池監視装置２及びコンピュータ装置３と通信ケーブル４を介して通信可能な通信回路部１２（第１通信部）を備えており、蓄電池監視装置２及びコンピュータ装置３との情報の送受信処理も第１制御部１１により制御される。なお、本実施形態では、第１制御部１１内に通信回路部１２を備える構成例を示したが、本発明はこれに限定されず、第１制御部１１と通信回路部１２とを別個に設けてもよい。
【００１８】
電力変換器１３は、その入力側に商用電源６及び複数の蓄電池８からなる蓄電池群８２が接続されており、出力側には負荷設備７（以下では、単に負荷７ともいう）に接続されている。無停電電源装置１は、第１制御部１１の制御に基づいて、正常運転時には商用電源６から負荷７に電力を供給し、停電運転時には蓄電池群８２から負荷７に電力を供給する構成になっている。
【００１９】
蓄電池監視装置２は、図１に示すように、各蓄電池８の電圧を測定する電圧測定回路２３と、それに接続された制御部２１（以下では、第２制御部２１ともいう）とを備える。なお、蓄電池監視装置２は、蓄電池群８２とともに、蓄電池盤５に設置されている。
【００２０】
第２制御部２１は、電圧測定回路２３で各蓄電池８の電圧を測定する際の制御を行う。また、第２制御部２１内には、無停電電源装置１及びコンピュータ装置３と通信ケーブル４を介して通信可能な通信回路部２２（第２通信部）を備えており、無停電電源装置１及びコンピュータ装置３との情報の送受信処理も第２制御部２１で制御される。なお、本実施形態では、第２制御部２１内に通信回路部２２を備える構成例を示したが、本発明はこれに限定されず、第２制御部２１と通信回路部２２とを別個に設けてもよい。
【００２１】
電圧測定回路２３は、直列蓄電池群８１を構成する蓄電池８の数と同じ数の電圧測定センサ（不図示）を備えている。そして、各電圧測定センサは各蓄電池８の入出力端子に接続されており、一つの電圧測定センサで一つの蓄電池８の電圧を測定する構成になっている。
【００２２】
コンピュータ装置３は、無停電電源装置１及び蓄電池監視装置２と通信ケーブル４を介して通信可能な通信回路部３２（第３通信部）を内部に含む制御部３１（以下では、第３制御部３１ともいう）を備えている。通信回路部３２における無停電電源装置１及び蓄電池監視装置２との情報の送受信処理は第３制御部３１により制御される。なお、本実施形態では、第３制御部３１内に通信回路部３２を備える構成例を示したが、本発明はこれに限定されず、第２制御部３１と通信回路部３２とを別個に設けてもよい。
【００２３】
蓄電池群８２は、図１に示すように、複数の蓄電池８が直列に接続されて構成されている直列蓄電池群８１を複数並列に接続した構成になっている。なお、蓄電池８としては、電解コンデンサ、電気二重層コンデンサ等が用い得る。
【００２４】
なお、図１には示していないが、本実施形態では、無停電電源装置１、蓄電池監視装置２及びコンピュータ装置３はそれぞれ、蓄電池８の劣化測定の評価結果を表示する表示部を備えている。
【００２５】
また、本実施形態では、無停電電源装置１、蓄電池監視装置２及びコンピュータ装置３を通信ケーブル４で接続し、各装置間で情報を有線通信する例を説明したが、本発明はこれに限定されず、任意の通信手段が用い得る。例えば、シリアル通信、接点信号、無線信号などを用いて各装置間での情報通信を行ってもよい。
【００２６】
[蓄電池の劣化測定]
次に、本実施形態の蓄電池監視システム１０による蓄電池８の劣化判定処理を図２を参照しながら説明する。図２は、本実施形態の蓄電池８の劣化判定処理の手順を示したフローチャートである。
【００２７】
まず、無停電電源装置１、蓄電池監視装置２及びコンピュータ装置３のうちの一つの装置が他の２つの装置の少なくとも一方に、通信ケーブル４を介して蓄電池劣化判定の処理を開始する旨の信号（開始信号）を送信する（ステップＳ１１）。ただし、この際、無停電電源装置１から開始信号が発信される場合には、少なくとも蓄電池監視装置２にその開始情報が送信されるようにする。また、蓄電池監視装置２から開始信号が発信される場合には、少なくとも無停電電源装置１に開始情報が送信されるようにする。また、コンピュータ装置３から開始信号が発信される場合には、無停電電源装置１及び蓄電池監視装置２の両方に開始情報が送信されるようにする。なお、このステップＳ１１の処理は、周期的に自動で行ってもよいし、必要に応じて適宜、人的操作により行ってもよい。また、この処理は、開始信号を送信する装置の制御部により制御される。
【００２８】
なお、後述する放電電流９を流す前に、ステップＳ１１で蓄電池劣化判定の開始信号を発信する理由は、次の通りである。本発明では、後述するように、蓄電池の劣化評価時には蓄電池群８２から無停電電源装置１に放電電流を流すが、この際、無停電電源装置１に放電電流を流す制御は、無停電電源装置１の第１制御部１１により行われる。そのため、放電電流を流す前に、蓄電池劣化判定の処理開始を予め無停電電源装置１に知らせて、無停電電源装置１内に電流が流せるような状態を準備させる必要がある。また、蓄電池劣化判定の処理開始を知らせる信号を発信しなければ、無停電電源装置１に流れている電流が、蓄電池劣化測定時の電流か、停電運転時の電流かが区別できない。
【００２９】
次いで、蓄電池監視装置２は、放電電流９が流れる前の個々の蓄電池８の電圧を測定し（ステップＳ１２）、その測定結果を記憶する。この処理は、蓄電池監視装置２の第２制御部２１により制御される。
【００３０】
次いで、無停電電源装置１の第１制御部１１の制御により、蓄電池群８２から無停電電源装置１に放電電流９を流す（ステップＳ１３）。なお、この際、予め蓄電池劣化判定のために設定された所定の電流値及び通電時間で放電電流９を流す。
【００３１】
次に、蓄電池監視装置２は、放電電流９が流れている間に、各蓄電池８の電圧を測定し（ステップＳ１４）、その測定結果を記憶する。
【００３２】
次いで、蓄電池監視装置２の第２制御部２１は、ステップＳ１２とステップＳ１４で得た測定結果を評価処理（比較等）し（ステップＳ１５）、その評価結果を、無停電電源装置１、蓄電池監視装置２及びコンピュータ装置３のいずれかの表示部に送る。なお、蓄電池監視装置２から無停電電源装置１またはコンピュータ装置３の表示部に評価結果を送る場合には、通信ケーブル４を介して評価結果が送られる。そして、無停電電源装置１、蓄電池監視装置２及びコンピュータ装置３のいずれかの表示部に表示された評価結果から、ユーザは電圧の低下が過大である蓄電池８を劣化した蓄電池８として特定することができる。
【００３３】
上述のようにして、本実施形態では、無停電電源装置１、蓄電池監視装置２及びコンピュータ装置３の各制御部が通信ケーブル４を介して連携し、各蓄電池の劣化測定（電圧測定）を行い、蓄電池８の状態を監視する。
【００３４】
[具体例]
ここで、本実施形態の蓄電池監視システム１０における蓄電池の劣化判定処理の具体例を説明する。
【００３５】
具体例では、定格３００Ａｈの蓄電池８を１００個直列に接続した直列蓄電池群８１を２つ用意し、その２つの直列蓄電池群８１を並列接続して蓄電池群８２を構成した。また、劣化判定の測定時に無停電電源装置１に流す放電電流９の電流値は、０．２ＣＡ、すなわち、３００Ａｈ×２並列×０．２ＣＡ＝１２０Ａとした。また、放電電流９の通電時間は５分とした。なお、放電電流９の電流値及び通電時間は、無停電電源装置１、蓄電池８の性能等や用途等に応じて適宜変更できる。
【００３６】
具体例では、まず、無停電電源装置１が蓄電池劣化判定処理の開始信号を、Ｅｔｈｅｒｎｅｔ（登録商標）４（通信ケーブル）を介して蓄電池監視装置２に伝える（ステップＳ１１）。
【００３７】
次いで、蓄電池監視装置２は、放電電流９を流す前に、各蓄電池の電圧（合計２００個（１００個×２並列））を測定する（ステップＳ１２）。そして、蓄電池監視装置２が全ての蓄電池８の電圧を測定した後、蓄電池劣化判定のために、無停電電源装置１の第１制御部１１の制御に基づいて、蓄電池群８２から無停電電源装置１に放電電流９が流される（ステップＳ１３）。
【００３８】
ステップＳ１３では、放電電流９が流れている間、蓄電池監視装置２は１分毎（合計５回）に２００個の蓄電池８の電圧を測定し（ステップＳ１４）、記憶する。次いで、放電電流９の通電開始から５分後、放電電流９を停止する。
【００３９】
次いで、蓄電池監視装置２の第２制御部２１は、ステップＳ１２とステップＳ１４で測定した２００個の蓄電池８の電圧の測定結果（放電前、放電１分後、放電２分後、放電３分後、放電４分後及び放電５分後の測定結果）を評価処理する（ステップＳ１５）。そして、蓄電池監視装置２は、評価結果をコンピュータ装置３に伝えて表示させる(ステップＳ１６）。これにより、ユーザに蓄電池劣化判定の結果を伝え、電圧の低下が異常であった蓄電池８を特定することができる。
【００４０】
上述のように、本実施形態では、蓄電池８の劣化状況を測定する際に、蓄電池群８２から無停電電源装置１に放電電流を流すので、十分大きな放電電流９を流して蓄電池８の劣化を判定することができる。それゆえ、本実施形態では、より正確に蓄電池８の劣化を判断することができ、停電時においても負荷に正常に安定して電力を供給することができ、信頼性をより向上させることができる。
【００４１】
また、本実施形態では、蓄電池８の評価測定において、放電電流９を蓄電池監視装置２ではなく無停電電源装置１に流すので、蓄電池監視装置２がその放電電流９に耐えうる性能（容量）を有する必要がなくなる。それゆえ、本実施形態では、安価で小型の蓄電池監視装置２を用いることができる。
【００４２】
以上のことから、本実施形態によれば、正確に蓄電池の状態を評価及び監視ができるとともに、小型で安価な蓄電池監視システムを提供することができる。
【００４３】
さらに、本実施形態のように、無停電電源装置１及び蓄電池監視装置２と通信可能なコンピュータ装置３を設けることにより、測定結果の処理が簡単になるとともに、詳細に測定結果を処理、解析等することができる。例えば、各蓄電池８の状態を個別に表示させたり、蓄電池群８２内の各蓄電池８の状態をまとめてグラフにしたり、あるいは、過去の劣化判定の履歴を調べたりすることができる。
【００４４】
[第２実施形態]
次に、本発明の蓄電池監視システムの第２の実施形態の例を、図３及び４を用いて説明する。図３は、第２の実施形態の蓄電池監視システムの概略構成図である。
【００４５】
図３に示した第２の実施形態の蓄電池監視システム２０と、図１に示した第１の実施形態の蓄電池監視システム１０との比較から明らかなように、第２の実施形態では、第１の実施形態の蓄電池監視装置２内の電圧測定回路２３の代わりに、電流測定回路２４を用いた。それ以外の構成は、第１の実施形態の蓄電池監視システムの構成と同様とした。それゆえ、ここでは、蓄電池監視装置２５の構成についてのみ説明する。
【００４６】
本実施形態の蓄電池監視装置２５は、図３に示すように、蓄電池８に流れる電流を測定する電流測定回路２４と、それに接続された第２制御部２１とを備える。各電流測定回路２４は、一つの電流測定センサ（不図示）を備えており、該電流測定センサは、直列蓄電池群８１の所定の一点（図３中の白抜き丸印）に接続されている。なお、電流測定回路２４で蓄電池８に流れる電流を測定する際の制御は第２制御部２１により行われる。
【００４７】
第１の実施形態では、蓄電池８の劣化測定のために各蓄電池毎に電圧測定センサを設けていたが、本実施形態では直列蓄電池群８１毎に電流測定センサを設ける。それゆえ、本実施形態では、センサの数を減らすことができ、より小型で安価な蓄電池監視システムを提供することができる。
【００４８】
次に、本実施形態の蓄電池監視システム２０による蓄電池８の劣化判定処理を図４を参照しながら説明する。図４は、本実施形態の蓄電池８の劣化判定処理の手順を示したフローチャートである。
【００４９】
まず、無停電電源装置１、蓄電池監視装置２５及びコンピュータ装置３のうちの一つの装置が他の２つの装置の少なくとも一方に、通信ケーブル４を介して蓄電池劣化判定処理の開始信号を送信する（ステップＳ２１）。ただし、この際、無停電電源装置１から開始信号が発信される場合には、少なくとも蓄電池監視装置２５にその開始情報が送信されるようにする。また、蓄電池監視装置２５から開始信号が発信される場合には、少なくとも無停電電源装置１に開始情報が送信されるようにする。また、コンピュータ装置３から開始信号が発信される場合には、無停電電源装置１及び蓄電池監視装置２５の両方に開始情報が送信されるようにする。なお、このステップＳ２１の処理は、周期的に自動で行ってもよいし、必要に応じて適宜、人的操作により行ってもよい。また、この処理は、開始信号を送信する装置の制御部により制御される。
【００５０】
次いで、無停電電源装置１の第１制御部１１の制御により、蓄電池群８２から無停電電源装置１に放電電流９を流す（ステップＳ２２）。なお、この際、予め蓄電池劣化判定のために設定された所定の電流値及び通電時間で放電電流９を流す。
【００５１】
次に、蓄電池監視装置２５は、放電電流９が流れている間に、蓄電池８に流れる電流を測定し（ステップＳ２３）、その測定結果を記憶する。
【００５２】
次いで、蓄電池監視装置２５の第２制御部２１は、ステップＳ２３で得た測定結果を評価処理し（ステップＳ２４）、その評価結果を、無停電電源装置１、蓄電池監視装置２５及びコンピュータ装置３のいずれかの表示部に送る。なお、蓄電池監視装置２５から無停電電源装置１またはコンピュータ装置３の表示部に評価結果を送る場合には、通信ケーブル４を介して評価結果が送られる。
【００５３】
本実施形態では、上述のように直列蓄電池群８１毎に電流を測定しているので、得られた評価結果から、ユーザはどの直列蓄電池群８１に劣化した蓄電池８が含まれているかを特定することができる。
【００５４】
上述のようにして、本実施形態では、無停電電源装置１、蓄電池監視装置２５及びコンピュータ装置３の各制御部が通信ケーブル４を介して連携し、蓄電池８の劣化測定（電流測定）を行い、蓄電池８の状態を監視する。
【００５５】
本実施形態においても、蓄電池８の劣化判定処理で、放電電流９を無停電電源装置１に流すので、正確に蓄電池の状態を評価及び監視ができるとともに、小型で安価な蓄電池監視システムを提供することができる。
【００５６】
[第３の実施形態]
次に、本発明の蓄電池監視システムの第３の実施形態の例を、図５及び６を用いて説明する。図５は、第３の実施形態の蓄電池監視システムの概略構成図である。
【００５７】
図５に示した第３の実施形態の蓄電池監視システム３０と、図１及び３に示した第１及び２の実施形態の蓄電池監視システム１０及び２０との比較から明らかなように、第３の実施形態では、蓄電池監視装置２６の構成を第１及び２の実施形態のそれとは変えた。具体的には、本実施形態では、蓄電池監視装置２６が電圧測定回路２３と電流測定回路２４の両方を備える構成にした。電圧測定回路２３には、第１の実施形態と同様のものを用い、電流測定回路２４には、第２の実施形態と同様のものを用いた。蓄電池監視装置２６以外の構成は、第１の実施形態の蓄電池監視システムと同様とした。
【００５８】
次に、本実施形態の蓄電池監視システム３０による蓄電池８の劣化判定処理を図６を参照しながら説明する。図６は、本実施形態の蓄電池８の劣化判定処理の手順を示したフローチャートである。
【００５９】
まず、無停電電源装置１、蓄電池監視装置２６及びコンピュータ装置３のうちの一つの装置が他の２つの装置の少なくとも一方に、通信ケーブル４を介して蓄電池劣化判定処理の開始信号を送信する（ステップＳ３１）。ただし、この際、無停電電源装置１から開始信号が発信される場合には、少なくとも蓄電池監視装置２６にその開始情報が送信されるようにする。また、蓄電池監視装置２６から開始信号が発信される場合には、少なくとも無停電電源装置１に開始情報が送信されるようにする。また、コンピュータ装置３から開始信号が発信される場合には、無停電電源装置１及び蓄電池監視装置２６の両方に開始情報が送信されるようにする。なお、このステップＳ３１の処理は、周期的に自動で行ってもよいし、必要に応じて適宜、人的操作により行ってもよい。また、この処理は、開始信号を送信する装置の制御部により制御される。
【００６０】
次いで、蓄電池監視装置２６は、放電電流９を流す前に、個々の蓄電池８の電圧を測定し（ステップＳ３２）、その測定結果を記憶する。この処理は、蓄電池監視装置２６の第２制御部２１の制御により行われる。
【００６１】
次いで、無停電電源装置１の第１制御部１１の制御により、蓄電池群８２から無停電電源装置１に放電電流９を流す（ステップＳ３３）。なお、この際、予め蓄電池劣化判定のために設定された所定の電流値及び通電時間で放電電流９を流す。
【００６２】
次に、蓄電池監視装置２６は、放電電流９が流れている間に、各蓄電池８の電圧及び蓄電池８に流れる電流を測定し（図６中のステップＳ３４）、その測定結果を記憶する。
【００６３】
そして、蓄電池監視装置２６の第２制御部２１は、ステップＳ３２とステップＳ３４で得た測定結果を評価処理し（ステップＳ３５）、その評価結果を、無停電電源装置１、蓄電池監視装置２６及びコンピュータ装置３のいずれかの表示部に送る。なお、蓄電池監視装置２６から無停電電源装置１またはコンピュータ装置３の表示部に評価結果を送る場合には、通信ケーブル４を介して評価結果が送られる。そして、無停電電源装置１、蓄電池監視装置２６及びコンピュータ装置３のいずれかの表示部に表示された評価結果から、ユーザは劣化した蓄電池８として特定することができる。
【００６４】
上述のようにして、本実施形態では、無停電電源装置１、蓄電池監視装置２６及びコンピュータ装置３の各制御部が通信ケーブル４を介して連携し、蓄電池８の劣化測定（電圧及び電流測定）を行い、蓄電池８の状態を監視する。
【００６５】
上述のように、本実施形態においても、蓄電池８の劣化判定処理で、放電電流９を無停電電源装置１に流すので、正確に蓄電池の状態を評価及び監視ができるとともに、小型で安価な蓄電池監視システムを提供することができる。さらに、本実施形態の蓄電池監視システム３０では、各蓄電池８の電圧及び蓄電池８に流れる電流を測定して蓄電池８の状態を監視するので、より正確に蓄電池８の劣化を診断することができる。それゆえ、本実施形態では、停電時においても負荷７により安定して電力を供給することができ、信頼性をより一層向上させることができる。
【００６６】
上記第１〜第３の実施形態では、コンピュータ装置を備える蓄電池監視システムの例を説明したが、本発明はこれに限定されない。無停電電源装置及び蓄電池監視装置の少なくとも一方がコンピュータ装置と同様の評価処理及び表示処理等の機能を備えている場合には、コンピュータ装置を備えなくてもよい。
【００６７】
また、上記第１〜第３の実施形態では、蓄電池監視システムを無停電電源装置を含むシステムに適用した例を説明したが、本発明はこれに限定されず、蓄電池に流れる電流を制御できる電力変換器を含むシステムであれば、任意のシステムに適用可能である。
【図面の簡単な説明】
【００６８】
【図１】第１の実施形態の蓄電池監視システムの概略構成図である。
【図２】第１の実施形態の蓄電池監視システムにおける蓄電池の劣化判定処理の手順を示すフローチャートである。
【図３】第２の実施形態の蓄電池監視システムの概略構成図である。
【図４】第２の実施形態の蓄電池監視システムにおける蓄電池の劣化判定処理の手順を示すフローチャートである。
【図５】第３の実施形態の蓄電池監視システムの概略構成図である。
【図６】第３の実施形態の蓄電池監視システムにおける蓄電池の劣化判定処理の手順を示すフローチャートである。
【符号の説明】
【００６９】
１…無停電電源装置、２…蓄電池監視装置、３…コンピュータ装置、４…通信ケーブル、５…蓄電池盤、６…商用電源、７…負荷、８…蓄電池、９…放電電流、１０…蓄電池監視システム、１１…第１制御部、１２…第１通信部、１３…電力変換器、２１…第２制御部、２２…第２通信部、２３…電圧測定回路、２４…電流測定回路、３１…第３制御部、３２…第３通信部、８１…直列蓄電池群、８２…蓄電池群
【図１】
0005263819.tif 000002
【図２】
0005263819.tif 000003
【図３】
0005263819.tif 000004
【図４】
0005263819.tif 000005
【図５】
0005263819.tif 000006
【図６】
0005263819.tif 000007